(57)【要約】【課題】  急冷スラグ砂は、土木事業等で天然砂の代替として、再生資源の利用の促進に大いに貢献している。しかし、この砂を活用し人工漁礁等の製品を得ようとした場合、セメント等の結合剤が不可欠であり、特に人工漁礁のように大量設置が必要で生態系に係わる施設においては、高価であり、水溶性アルカリ成分の溶出や、それに伴う耐久性劣化等の課題があった。【解決手段】  スラグ発生時の溶融スラグの有する流動性と溶融結合力を利用して、型流し込み成形し徐冷法凝結にてスラグ製漁礁を得る。【選択図】          図１
2005137314.tif 000002
【特許請求の範囲】
【請求項１】
スラグ質構造体であることを特徴とする、スラグ製漁礁。
【請求項２】
前記のスラグ質構造体は、溶融スラグを型流し込み成形し徐冷法凝結にて得られたことを特徴とする、請求項１記載のスラグ製漁礁。
【発明の詳細な説明】
【技術分野】
【０００１】
この発明は、産業副産物等のスラグを利用した人工漁礁に関するものである。
【背景技術】
【０００２】
従来の技術で、産業副産物等のスラグを利用し人工漁礁を得る場合の、一実施形態を図３に示す。発生した溶融スラグを０１トロッコに積載し、急冷法凝結場所まで移送し降ろす。降ろした溶融スラグに、速やかに０7放水機で水を掛けて急冷凝結させる。
【０００３】
急冷法凝結の場合は、小さい急冷スラグ塊を得る。それを、掘削重機車両等で回収し、０８砂化処理加工ラインに投入する。このライン内部では、破砕や分級や角を研磨される等の処理加工が施され、丸みを帯びたスラグ砂が得られる。そして、ここまでがＡスラグ砂化技術分野で、以後はＢセメント二次製品分野と、ニ技術分野に渡る工程となる。
【０００４】
スラグ砂は、結合資材の０９セメント・その他資材と配合され、水を加えて１０コンクリート混練機で混練される。得たセメントコンクリートは、１１組み立て式人工漁礁型に流し込んで成形され、セメントが水和凝結し脱型強度を得るまで養生される。一般にこの養生では、３〜７日必要になる。
【０００５】
脱型強度に達した成形物は、型を解体し脱型される。解体された型は整備され、再び組み立てられて使用する。脱型された成形物は、０５研磨機でバリ等を研磨仕上げされて成形は終了する。
【０００６】
セメント成形物は、脱型時点ではまだ強度が充分でないので、在庫備蓄されながら製品強度に安定するまで養生される。したがって、製品強度に達して、スラグ砂利用のセメント製人工漁礁が完成品となる。この安定養生機関は、一般的に４週程度以上になる。
【発明の開示】
【発明が解決しようとする課題】
【０００７】
しかしながら、以上の技術によれば、工程が多いため時間や設備も多く、新たなセメント結合剤等の資材が不可欠で、大量設置が望まれる人工漁礁の価格をより高価なものにしていた。また、スラグが有する成分安全性、化学的安定性等がセメントに封じ込められ、反対にセメント水和物が有する水溶アルカリ成分の溶出や、それに伴う化学的劣化等の課題が表面化していた。
【０００８】
そこで、この発明は、費用が安価で、安全な成分で、化学的に安定で、多孔質で漁礁目的達成に有効な人口漁礁を短期間で提供する。
【課題を解決するための手段】
【０００９】
以上の課題を解決するために、第一発明は、スラグ質構造体であることを特徴とする、スラグ製漁礁である。
【００１０】
また、第二発明は、スラグ質構造体は、溶融スラグを型流し込み成形し徐冷法凝結にて得られたことを特徴とする、スラグ製漁礁である。
【発明の効果】
【００１１】
第一発明、または第二発明によれば、スラグ発生時の溶融スラグの流動性と溶融結合力を利用し、溶融スラグを型流し込み成形し徐冷凝結にて、徐冷スラグ質構造体を得たため、費用が安価で、安全な成分で、化学的に安定で、多孔質で漁礁目的達成に有効な人口漁礁を短期間で得られる。
【発明を実施するための最良の形態】
【００１２】
この発明の一実施形態を、図１に示す。
【００１３】
発生した溶融スラグを、０１トロッコに搭載した０２漁礁型に流し込み、養生場所に移送され、０３クレーン車両にて養生位置に降ろされる。
【００１４】
養生場所では、徐冷法にて静止状態で養生される。溶融スラグは、型の中にて自然温度で徐々に冷えて凝結し、多孔質性の徐冷スラグ質の成形物になる。養生時間は、大きさによって異なるが、約１日程度あれば充分に凝結する。
【００１５】
充分凝結したことを確認し、脱型となる。脱型は、０３クレーン車を用いて０４ベース型を解体して外す。始めに、四方の側型枠から解体され、最後に底型枠が外される。このベース型は、型製作に回される。
【００１６】
脱型された徐冷スラグ成形物は、０５研磨機を用いてバリやボルトなど研磨され、仕上げ加工される。仕上げ加工が終了し、スラグ製漁礁が完成となる。
【００１７】
型製作に回った０４ベース型は、再度組み立てられる。組みあがった０４ベース型の内面に、０６同化離型板が貼り付けられ、０２漁礁型が完成する。完成した漁礁型は、０１トロッコに搭載され、溶融スラグの流し込みに備える。
【００１８】
０４ベース型は、図２をもって説明すると、ア底型枠１枚とイ側型枠４枚からなる。その構造は、ウ耐火煉瓦部分とエ鉄骨枠部分からなっている。組み立ては、エ鉄骨型枠部分を、オ組み立てボルトを使用して固定する。以下、図２をもって説明する。
【００１９】
カ同化離型板は、徐冷スラグ質の板を、寸法に合わせて切断して作る。取り付けは、キ使い切りボルトを使用する。カ同化離型板の働きは、溶融スラグと接する面はその熱で溶解し同化結合する。しかし、厚さを有することで、反対面まで溶融しない。そこで、キ使い切りボルトを外し離型される。したがって、この板が製品基部に同化結合され、その表層を構成することになる。
【００２０】
溶融スラグは、ａレベルラインまで流し込まれる。その際、ク空間にはスラグ砂を充填し、溶融スラグの流れ込みを防ぐと共に、カ同化離型板を支える。使い切りボルトは、始めカ同化離型板を固定しているが、やがて、溶融スラグの高熱で溶解し同化する。この図２の型による製品は、中央に魚介類の生息する空洞を設けた、四角い筒状形の漁礁のイメージになる。
【００２１】
「実施形態の効果」
この実施形態によれば、設備が非常に簡素であって、従来技術のＡスラグ砂化技術分野部分だけを、若干改良及び増設する程度で、即併用的にでも実現できる。専用設備の新設において考えれば、急冷設備の０７放水ポンプや０８砂化処理加工ラインが不要で、代わりは型製作施設だけなので設備費用が非常に少ない。
【００２２】
また、スラグ発生施設内にて短時間で製品を得ることができる。産業副産物のスラグの場合、スラグ発生施設の製鉄所は、鉄鉱石資材等の受け入れ条件上、港湾施設の近傍にある。したがって、特に人工漁礁製品の場合、海洋設置現場への搬入に便利である。
【００２３】
「他の実施形態」
図１の実施形態では０２漁礁型を使用したが、他の実施形態ではこの型を使用せずに、砂場を設けその砂を掘って直接型としても良い。この場合は、製品寸法規格が比較的自由な場合で、表面の仕上がりをより自然な凹凸風合いにしたいとき等有効である。また、この自然風合いを利用して、多目的人工造岩製品を作ることもできる。さらに、両方の併用で、寸法規格を有する部分と、自然風合い部分を併せ持つ製品も得られる。
【００２４】
また、図１の実施形態では、一型一製品の完全スラグ質一体構造としたが、より大きい物や複雑形状等の場合は、他の実施形態では、複数部分に分割して作り、その後接合して完成品を得ることもできる。また、運搬や設置に便利上必要であれば、金属枠や金具等の取り付けや、一部分をコンクリート複合体にして完成品を得ることもできる。
【図面の簡単な説明】
【００２５】
【図１】この発明の一実施形態を示すフロー図である。
【図２】この発明の一実施形態における漁礁型の説明図である。
【図３】従来技術の一実施形態を示すフロー図である。
【符号の説明】
【００２６】
１  トロッコ
２  漁礁型
３  クレーン車両
４  ベース型
５  研磨機
６  同化離型板
７  放水機
８  砂化処理加工ライン
９  セメント・その他資材
１０  コンクリート混練機
１１  組み立て式人工漁礁型
Ａ  スラグ砂化技術分野
Ｂ  セメント二次製品技術分野
ア  ベース底型枠
イ  ベース側型枠
ウ  耐火煉瓦部
エ  鉄骨枠部
オ  組み立てボルト
カ  同化離型板
キ  使い切りボルト
ク  空間
ａ  レベルライン
【図１】
2005137314.tif 000003
【図２】
2005137314.tif 000004
【図３】
2005137314.tif 000005